(57)【要約】 【課題】  本発明は、指輪の側面について品のある特徴的な何らかの装飾を可能とし、指輪の装飾の範囲をより広げると共に装飾的な価値の高い指輪の提供を課題とする。【解決手段】  係る課題を解決するため外側リング部材と内側リング部材からなる指輪であって、外側リング部材の内周周縁を波状に形成し、内側リング部材の外周周縁を波状に形成し、外側リング部材の内径内に内側リング部材を嵌入することによって両者の端辺部によって装飾を表出可能とした指輪によって解決できる。【選択図】    図１
2007185352.tif 000002
【特許請求の範囲】
【請求項１】
外側リング部材１と内側リング部材２からなる指輪であって、
外側リング部材１の内周周縁１１を波状に形成し、
内側リング部材２の外周周縁２０を波状に形成し、
外側リング部材１の内径内に内側リング部材２を嵌入して嵌着して構成したことを特徴とする指輪。
【請求項２】
外側リング部材１と内側リング部材２からなる指輪であって、
内周周縁１１を波状に形成した外側リング部材１の内径内に、外周周縁２０を波状に形成した内側リング部材２を有することを特徴とする指輪。
【請求項３】
外側リング部材１と内側リング部材２が異なる材質の部材によりそれぞれ構成するものであることを特徴とする請求項１又は２のいずれかに記載の指輪。
【請求項４】
外側リング部材１と内側リング部材２とが異なる色彩を有することを特徴とする請求項１乃至３のいずれかに記載の指輪。
【請求項５】
異なるピッチよりなる波状に形成したことを特徴とする請求項１乃至４のいずれかに記載の指輪。
【請求項６】
少なくとも一部に直線部分を有する波状に形成したことを特徴とする請求項１乃至５のいずれかに記載の指輪。
【請求項７】
少なくとも波状の一部に鋭角部分を有することを特徴とする請求項１乃至６のいずれかに記載の指輪。
【請求項８】
請求項１乃至請求項７のいずれかに記載の指輪の製造方法であって、
内側リング部材２と外側リング部材１とを製造する工程と、
外側リング部材１の内周周縁１１を波状に形成する工程と、
内側リング部材２の外周周縁２０を波状に形成する工程と、
外側リング部材１の内径内に内側リング部材２を圧入又はロー付けする工程とからなることを特徴とする指輪の製造方法。
【発明の詳細な説明】
【技術分野】
【０００１】
本発明は、指輪に関し、より具体的には外側リング部材と内側リング部材とからなる指輪であって、外側リング部材の内周面を波状とし、内側リング部材の外周面を波状とし、外側リング部材の内周に内側リング部材を嵌着することによって、両者の波状の模様を指輪側面の模様とすることのできる指輪及びその製造方法に関する。
【背景技術】
【０００２】
従来より、指輪の装飾に関しては種々の方策が採られており、その装飾的価値を高めているものである。
この場合、一般的には指輪の外側外周面が最も目に入りやすいことから外周面に種々の模様が施されているものであり、なかなか指輪の側面部分において特徴のある装飾を施すものは少ないものである。
特に指輪の外表面の装飾が側面にまで及んで一体として特殊な装飾を付与するものは極めて多くあり、外表面との一体性ゆえに全体的に施された装飾として存在する。
【０００３】
更に、実開平６年第１２５号公報（特許文献１）に示す指輪は、下部指輪と上部指輪とからなり、両者を重ね合わせて構成することから両者間における嵌め込み部分の境の模様を生じさせるものである。
また、特開２００５−１９８７２２号（特許文献２）も存在する。
【０００４】
即ち、外部指輪と内部指輪とを同心円状に嵌入してなる指輪であって、両者間には一定のクリアランスを有し、外部指輪を側面に沿って移動可能な隙間を有する構成となる。
従って、外部指輪と内部指輪の間には外部指輪の内周縁と内部指輪の外周縁の両者のクリアランス部分によって生ずる円状の模様が表出されるものである。
【特許文献１】実開平６年第１２５号
【特許文献２】特開２００５−１９８７２２号
【発明の開示】
【発明が解決しようとする課題】
【０００５】
以上の様に、本来指輪は外表面に模様を表出するものであるが、指輪の側面部分にも模様を有するものも存在する。
しかし、この部分においては単なる線図による模様は目立つものではなく、ほとんど装飾の域に達しないものであった。
即ち、前記実開平６年第１２５号公報（特許文献１）に示す構成は、両者間における嵌め込み部分の境の模様を有しているが、これは装飾的な価値を有するものではなく、装飾として特別の図形や線図などを別途施すことによって行ってきているものであった。
【０００６】
更に、前記特開２００５−１９８７２２号（特許文献２）に示す構成は、外部指輪の内周縁と内部指輪の外周縁の両者のクリアランス部分によって生ずる円状の模様は有するが、本来この指輪の装飾は内部指輪の外周面に施した装飾について外部指輪を移動することによって外部に表出可能とするものであり、クリアランス部分はほとんど装飾的な意味合いはないものである。
従って、指輪の側面について、品のある特徴的な何らかの装飾を施すことによって、指輪の装飾の範囲をより広げることが求められている。
更に、一般的に指輪については一の部材よりなるものであるが、複数の素材よりなる部材を組み合わせて装飾的な価値の高い指輪の提供が求められているものである。
【課題を解決するための手段】
【０００７】
前記の各課題を解決するために、請求項１に係る発明は外側リング部材と内側リング部材からなる指輪であって、外側リング部材の内周周縁を波状に形成し、内側リング部材の外周周縁を波状に形成し、外側リング部材の内径内に内側リング部材を嵌入して嵌着して構成した指輪からなり、係る各課題を解決できる。
又、請求項２に係る発明は外側リング部材と内側リング部材からなる指輪であって、内周周縁を波状に形成した外側リング部材の内径内に外周周縁を波状に形成した内側リング部材を有する指輪からなり、係る発明によっても前記課題を解決できる。
【０００８】
更に、請求項３に係る発明は外側リング部材と内側リング部材が異なる材質の部材によりそれぞれ構成するものである指輪からなり、この様に構成することによって両者の組み合わせがよりはっきりとなるものであって前記課題を効率的に解決できる。
或いは請求項４に係る発明の様に、外側リング部材と内側リング部材とが異なる色彩を有する指輪を用いることによっても同様である。
【０００９】
これらの場合、請求項５に係る発明の様に異なるピッチよりなる波状に形成した指輪であっても、或いは請求項６に係る発明の様に少なくとも一部に直線部分を有する波状に形成した指輪であっても、更には請求項７にかかる発明の様に少なくとも波状の一部に鋭角部分を有する指輪であってもよい。
更には請求項８にかかる発明の様に内側リング部材と外側リング部材とを製造する工程と、外側リング部材の内周周縁を波状に形成する工程と、内側リング部材の外周周縁を波状に形成する工程と、外側リング部材の内径内に内側リング部材を圧入又はロー付けする工程とからなる指輪の製造方法を用いてもよい。
【発明の効果】
【００１０】
以上のように構成したことから、指輪の外側リング部材と内側リング部材とによって構成される端辺部の形状を表出できることとなり、特にこの端辺部を波状を基調とした形状として構成することから、単なる複数のリングを重ね合わせた単調なデザインではない、極めて特殊デザインを表出することができるものである。
従って、指輪の装飾的価値を高めることができるものである。
更に、この波状形状を基調として各種の形状することによって各種のデザインを施すことができる。
【００１１】
更に最も大きな効果として、外側リング部材と内側リング部材を異なる材質の部材によって構成することにより、該指輪側面に表出される波状を基調とするデザインをより浮き立たせることができ、該波状のデザインを境として色や質感などの相違を表出することが可能となるものであり、その各種組み合わせによってデザインの幅を飛躍的に拡大させるだけでなくデザイン的価値を高めることができる。
【発明を実施するための最良の形態】
【００１２】
図1は、本発明に係る指輪の一例を示す図であって、該指輪を 構成する外側リング部材１と内側リング部材２とを示す図である。
外側リング部材１は、外周面である周縁１０を円形状とし、その内周面である周縁１１には側面視において波状の端辺部１１０を有しているものである。
この場合、波状の端辺部１１０は幅方向即ち指輪のリングの幅には該端辺部の波状をそのまま有しているものである。
更に、内側リング部材２は内周面である周縁２１を円形状とし、その外周面である周縁２０には側面視において波状の端辺部２００を有しているものである。
【００１３】
この場合、波状の端辺部２００は幅方向即ち指輪のリングの幅には該端辺部の波状をそのまま有しているものである。
この外側リング部材１の内径内に内側リング部材２を嵌入して嵌着するものである。
従って、両者の嵌着によって指輪を構成するが、両者間の波状の端辺部１１０、２００によって波状のデザインを表出できるものである。
この場合、外側リング部材１と内側リング部材２は、金やプラチナ、銀、銅、ニッケル、真鍮、亜鉛合金、ステンレス等の部材によって構成されるものである。
【００１４】
更に、外側リング部材１の部材と、内側リング部材２の部材とをそれぞれ異なる部材によって構成することにより、両者の色合いや印象が異なるものとなり、この両者を嵌着することによって前述のように両者間の波状の端辺部１１０、２００によるより際立った波状のデザインを表出できるものである。
更に、例えば同じ部材による場合であっても、それぞれに異なる色彩を施し、又は一方のみに異なる色彩を施すことによって、両者を嵌着すれば際立った波状のデザインを表出できるものとなる。
なお、別途同一部材でも異なる処理を行うことによって外観視異なる印象を与えるように処理したものを用いたものであってもよい。
【００１５】
図２は、両者を嵌め合わせた一例を示す図である。
例えば、外側リング部材１をプラチナで構成し、内側リング部材２を金で構成して、両者を嵌着することによって指輪を構成できる。
次に図３は本発明に係る他の実施の状態の一例を示す図である。
本図に示すように特殊なピッチの波状構成を用いてもよい。
もとより、外側リング部材１の特殊ピッチの波状の端辺部１１０の形状と、内側リング部材２の特殊ピッチの波状の端辺部２００の形状は嵌着可能に一致するものであることが必要である。
【００１６】
従って波状の構成は一定の弧状の連続に限らず、特殊ピッチの弧状を一部に或いは任意に有するものであってもよい。
又、本図に示すのは全て曲線で構成されるが、これに限らず直線部分を有するものであっても、或いは鋭角部分を有するものであってもよい。
少なくとも波状構成を基調としていればよいものであり、その曲線部分が鋭角であっても或いは直線部分を一部に有するものであってもよい。
【００１７】
次に図４は、リングが全て一定の幅を有しているのではなく、一方向の幅を広く、他方向の幅を狭く構成したリングを用いて指輪を構成している本発明にかかる他の実施例の一例を示す図である。
更に図５に示す構成は、波状の一部に鋭角部分を有する指輪の一例を示す図であり、本発明にかかる他の実施例の一例を示す図である。
即ち波状の７ピッチのそれぞれの間に鋭角状の突出部分を有する一例である。
従って、この様に構成したものであっても同様の効果を発揮できるものであり、本発明に含まれるものである。
【００１８】
尚、図６には波状の一部を鋭角部分とした、波状の一部に鋭角部分を有する指輪の一例を示す図であり、本発明にかかる他の実施例の一例を示す図である。
即ち外側方向の角部が鋭角であり、内側方向が弧状で構成されている形状である。
更に、図７は、外側リング部材の外周面である周縁１０が略四角形状よりなり、更に角部を弧状に形成したものである。
【００１９】
以上、これらの様に構成しても外側リング部材１と内側リング部材２により構成されるデザインは極めて特殊であり、商品の価値を著しく高めることができる。
【００２０】
次にこのように構成される指輪の製造工程について説明する。
まず、一の製造方法としては、予め旋盤やフライス盤、ワイヤーカット或いは放電加工等により所定の形に成型する。
次に、これを用いて、金型を元にプレス成型して図１に示す構成に成型する。
【００２１】
この他、当初より盤やフライス盤、ワイヤーカット或いは放電加工等によって図１の形に形成するものであってもよい。
或いは鋳造によって図１に示す構成に形成してもよい。
次にこのように構成した外側リング部材と内側リング部材と圧入又はロー付けにて嵌着する。
【００２２】
例えば外側リング部材をプラチナで鋳造して、内側リング部材をワックスで組み合わせ、更に金にて鋳造してもよい。
従って、外側リング部材と内側リング部材とは両者を嵌入して嵌着するものに限らず、最終的に外側リング部材と内側リング部材とからなり、両者が波状の端辺部にて連接しているものであればよい。
以上の通り、その他既知の各種方法を用いて製造すればよいものである。
尚、図１を前提としているが、これらの製造方法はもとより図３乃至図７にかかる各種の指輪に関する。
【図面の簡単な説明】
【００２３】
【図１】本発明に係る指輪の一実施の状態を示す図であり、外側リング部材と内側リング部材とをそれぞれ分離した状態で示す図
【図２】図１に示す外側リング部材と内側リング部材とを嵌着した状態を示す図
【図３】本発明に係る指輪の他の一実施の状態を示す図
【図４】本発明に係る指輪の他の一実施の状態を示す図
【図５】本発明に係る指輪の他の一実施の状態を示す図
【図６】本発明に係る指輪の他の一実施の状態を示す図
【図７】本発明に係る指輪の他の一実施の状態を示す図
【符号の説明】
【００２４】
１    外側リング部材
１０    外側リング部材外周面周縁
１１    外側リング部材内周面周縁
１１０    外側リング部材内周縁端辺部
２    内側リング部材
２０    内側リング部材外周面周縁
２１    内側リング部材内周面周縁
２００    内側リング部材外周縁端辺部
【図１】
2007185352.tif 000003
【図２】
2007185352.tif 000004
【図３】
2007185352.tif 000005
【図４】
2007185352.tif 000006
【図５】
2007185352.tif 000007
【図６】
2007185352.tif 000008
【図７】
2007185352.tif 000009